(57)【要約】【課題】棒状化粧料が受皿から抜け出さないように構成した棒状化粧料容器を提供する。【解決手段】棒状化粧料容器１０は、筒状の中皿部材１１内に受皿１２を挿入するとともに、棒状化粧料１３の基部１４を受皿１２内に嵌合し、中皿部材１１を収納容器１５内に移動自在に収納し、この棒状化粧料１３を収納した位置Ｐ１と、突出した位置Ｐ２とに配置するものである。この棒状化粧料容器１０は、中皿部材１１には、棒状化粧料１５に食い込む可撓性の爪部１８が設けられている。【選択図】  図２
2004298439.tif 000002
【特許請求の範囲】
【請求項１】
筒状の中皿部材内に受皿を挿入するとともに、棒状化粧料の基部を受皿内に嵌合し、前記中皿部材を収納容器内に移動自在に収納し、前記棒状化粧料を収納した位置と、突出した位置とに配置する棒状化粧料容器において、
前記中皿部材に、棒状化粧料に食い込む可撓性の爪部が設けられていることを特徴とする棒状化粧料容器。
【発明の詳細な説明】
【０００１】
【発明の属する技術分野】
本発明は棒状化粧料容器に係り、さらに詳しくは、中皿部材内に受皿を差し込み、棒状化粧料の基部を受皿内に嵌合し、この中皿部材を収納容器内に移動自在に収納した棒状化粧料容器に関する。
【０００２】
【従来の技術】
従来より、棒状化粧料容器の中には、中皿部材内に受皿を設け、中皿部材の開口から棒状化粧料の基部を差し込んで受皿内に嵌合させたものがある。（例えば、特許文献１参照。）。
【０００３】
【特許文献１】
特公昭６０−１０４９０号公報（第２頁、第３図）
【０００４】
この棒状化粧料容器は、中皿部材の受皿に棒状化粧料を嵌合させた状態で、中皿部材を収納容器内に移動自在に収納している。
棒状化粧料容器の使用の際には、中皿部材を移動させることにより収納容器から棒状化粧料を突出させ、棒状化粧料容器の未使用の際には、中皿部材を移動させて棒状化粧料を収納容器内に収納する。
【０００５】
【発明が解決しようとする課題】
この棒状化粧料容器は、中皿部材を移動させることにより収納容器から棒状化粧料を突出する操作と、中皿部材を移動させて棒状化粧料を収納容器内に収納する操作とを頻繁に繰り返す。
【０００６】
このように、棒状化粧料を突出する操作と、収納する操作とを頻繁に繰り返すために、受皿内に嵌合させた棒状化粧料の基部と受皿との間に緩みが発生し、棒状化粧料が受皿から抜け出し易くなることが考えられる。
【０００７】
この発明は、棒状化粧料が受皿から抜け出さないように構成した棒状化粧料容器を提供して、上述した全ての問題点を解消しようとするものである。
【０００８】
【課題を解決するための手段】
上記目的を達成するために、請求項１記載の発明は、筒状の中皿部材内に受皿を挿入するとともに、棒状化粧料の基部を受皿内に嵌合し、前記中皿部材を収納容器内に移動自在に収納し、前記棒状化粧料を収納した位置と、突出した位置とに配置する棒状化粧料容器において、前記中皿部材に、棒状化粧料に食い込む可撓性の爪部が設けられていることを特徴とする。
【０００９】
本発明は棒状化粧料に食い込む可撓性の爪部を、中皿部材に設けた。よって、受皿を中皿部材に差し込んで爪部に当てた後、棒状化粧料の基部を受皿に嵌合し、この状態で棒状化粧料を中皿部材内に差し込むことにより、受皿で爪部を外側に押し広げる方向に弾性変形させ、受皿を中皿部材の所定位置にセットする。
【００１０】
受皿を中皿部材の所定位置にセットしたときには、受皿は爪部を通過した状態になる。よって、外側に押し広げられた爪部が弾性力で元の位置に戻ることになり、爪部の先端を棒状化粧料に食い込ませることができる。
【００１１】
【発明の実施の形態】
以下添付図面に基づいて、本発明に係る棒状化粧料容器の一実施の形態を詳説する。
【００１２】
図１は本発明に係る棒状化粧料容器を示す断面図、図２は同中皿部材と受皿とを分解した状態を示す断面図、図３は図２のＡ−Ａ線断面図、図４は図２のＢ−Ｂ線断面図である。
【００１３】
図１〜図３に示すように、棒状化粧料容器１０は、筒状の中皿部材１１内に受皿１２を挿入するとともに、棒状化粧料１３の基部１４を受皿１２内に嵌合し、中皿部材１１を収納容器１５内に移動自在に収納し、棒状化粧料１３を収納した位置Ｐ１と、突出した位置Ｐ２とに配置するように構成されている。
なお、符号１６は棒状化粧料１３を覆うキャップである。
【００１４】
この棒状化粧料容器１０は、図２に示すように中皿部材１１に、棒状化粧料１３の基部１４に食い込む可撓性の爪部１８が複数本（３本）設けられ、その爪部１８の下方に断面台形状のストッパ部１９（図４も参照）が設けられている。
図２〜図３に示すように爪部１８は、中皿部材１１の周壁２１にベント片２２の基端２２ａが一体に形成され、このベント片２２の先端２２ｂに係止爪２３が一体に形成されている。
【００１５】
ベント片２２は、中皿部材１１の周壁２１に沿って下方、すなわち中皿部材１１の上端１１ａから下端１１ｂに向けて軸線２４の方向に延び、周壁２１の外周面２１ａと内周面２１ｂとの間に配置された弾性変形可能な可撓性の片状部材である。
【００１６】
図２に示すように係止爪２３は、ベント片２２の先端２２ｂから、中皿部材１１の軸線２４に向けて下方に延びた内傾斜面２３ａを備え、内傾斜面２３ａを、中皿部材１１の周壁２１の内周面２１ｂから突出させ（図３も参照）、その下面２３ｂを中皿部材１１の軸線２４に対して直交するように配置した平坦面状を呈する爪である。
【００１７】
この係止爪２３の外面２３ｃは、中皿部材１１の周壁２１の外周面２１ａの内側に配置されている。
この爪部１８の材料としては、ベント片２２の弾性を考慮すると、樹脂材や金属材が該当する。
さらに受け皿１２の材料としては樹脂材や金属材が該当するが、特に金属材を用いることが望ましい。
【００１８】
図２に示すように、ストッパ部１９は、その上端１９ａを平坦に形成し、上端１９ａから係止爪２３の先端２３ｂまでの距離Ｌを、受皿の高さＨよりわずかに大きく設定したものである。
【００１９】
この棒状化粧料容器１０を組み付ける際には、まず、図５に示すように中皿部材１１の開口２６から中皿部材１１内に受皿１２を差し込む。受皿１２は、爪部１８の係止爪２３に当たって、その位置に静止する。
つぎに、図６に示すように中皿部材１１の開口２６から中皿部材１１内に棒状化粧料１３の基部１４を差し込むことにより、基部１４の先端が受皿１２内に嵌合する。
【００２０】
この状態から、棒状化粧料１３の基部１４を中皿部材１１内にさらに差し込むことにより、図７に示すように基部１４とともに受皿１２が爪部１８の係止爪２３に向けて移動する。
【００２１】
受皿１２の外周で係止爪２３を外側に押圧することにより、ベント片２２を弾性変形させて、中皿部材１１の内周面２１ｂの外側に係止爪２３を押し出す。
これにより、図８に示すように、受皿１２を下降させて受皿１２の底部２７をストッパ部１９の上端１９ａに当て、受皿１２をストッパ部１９で所定位置に位置決めする。
【００２２】
受皿１２をストッパ部１９で所定位置に位置決めする位置まで下降させることにより、受皿１２は爪部１８の係止爪２３を通過する。よって、中皿部材１１の内周面２１ｂの外側に押し広げられたベント片２２が弾性力で元の位置に戻る。
これにより、爪部１８の係止爪２３が棒状化粧料１３の基部１４に食い込ませて、棒状化粧料１３が受皿１２から抜け出すことを確実に防止することができる。
【００２３】
なお、前記実施の形態では、爪部１８を３本設けた例について説明したが、爪部１８の本数は受部１２や中皿部材１１のサイズに合わせて適宜選択することができる。
【００２４】
また、前記実施の形態では、爪部１８を構成する係止爪２３の断面形状を三角形状に形成したが、これに限られることはなく、係止爪２３の断面形状を、例えば湾曲状に形成することも可能である。
【００２５】
【発明の効果】
以上述べたように、請求項１による棒状化粧料容器によれば、棒状化粧料に食い込む可撓性の爪部を、中皿部材に設けた。
よって、受皿を中皿部材に差し込んで爪部に当てた後、棒状化粧料の基部を受皿に嵌合し、この状態で棒状化粧料を中皿部材内にさらに差し込むことにより、受皿で爪部を外側に押し広げる方向に弾性変形させ、受皿を中皿部材の所定位置にセットする。
【００２６】
受皿を中皿部材の所定位置にセットしたとき、受皿は爪部を通過した状態になる。よって、外側に押し広げられた爪部の先端が弾性力で元の位置に戻り、爪部の先端を棒状化粧料に食い込ませることとなる。
これにより、棒状化粧料が受皿から抜け出すことを確実に防止することができる。
【図面の簡単な説明】
【図１】本発明に係る棒状化粧料容器を示す断面図である。
【図２】同中皿部材と受皿とを分解した状態を示す断面図である。
【図３】図２のＡ−Ａ線断面図である。
【図４】図２のＢ−Ｂ線断面図である。
【図５】本発明に係る棒状化粧料容器の中皿部材に棒状化粧料を組み付ける手順を示す第１説明図である。
【図６】同手順を示す第２説明図である。
【図７】同手順を示す第３説明図である。
【図８】同手順を示す第４説明図である。
【符号の説明】
１０…棒状化粧料容器
１１…中皿部材
１２…受皿
１３…棒状化粧料
１４…基部
１５…収納容器
１８…爪部
１９…ストッパ部
２２…ベント片
２３…係止爪
Ｐ１…棒状化粧料を収納した位置
Ｐ２…棒状化粧料を突出した位置
【図１】
2004298439.tif 000003
【図２】
2004298439.tif 000004
【図３】
2004298439.tif 000005
【図４】
2004298439.tif 000006
【図５】
2004298439.tif 000007
【図６】
2004298439.tif 000008
【図７】
2004298439.tif 000009
【図８】
2004298439.tif 000010